(57)【要約】【課題】  磁気ディスクメディアの熱収縮等の異方性の影響を抑えることで、トラッキング性能が高く、転送速度が速い記録ディスクカートリッジを提供する。【解決手段】  複数のフレキシブルな記録ディスクメディア１を回転体２に連結し、一体回転可能に収容した記録ディスクカートリッジ１０であって、各記録ディスクメディア１は、少なくともその記録ディスクメディア１にデータの記録および／または再生を行なうディスクドライブが有するヘッド群に対応する群ごとに、記録ディスクメディア１の支持体を構成するシート材の送り方向を基準として、予め定められた所定の方向に揃えて配置する構成とする。【選択図】      図２
2006059442.tif 000002
【特許請求の範囲】
【請求項１】
複数のフレキシブルな記録ディスクメディアを回転体に連結し、一体回転可能に収容した記録ディスクカートリッジであって、
前記各記録ディスクメディアは、少なくともその記録ディスクメディアにデータの記録および／または再生を行なうディスクドライブが有するヘッド群に対応する群ごとに、前記記録ディスクメディアの支持体を構成するシート材の送り方向を基準として、予め定められた所定の方向に揃えて配置されたことを特徴とする記録ディスクカートリッジ。
【請求項２】
前記各記録ディスクメディアは、一定の方向性を有する取付孔を備え、
前記回転体は、前記取付孔と整合して係合される凸部を有するセンタコアを備え、
前記取付孔と前記センタコアの前記凸部とを係合させることにより、各記録ディスクメディアが前記所定の方向に揃えて配置されたことを特徴とする請求項１に記載の記録ディスクカートリッジ。
【請求項３】
前記各記録ディスクメディアは、前記所定の方向を示す目印を備え、その目印を基準として前記各ディスクメディアが前記所定の方向に揃えて配置されたことを特徴とする請求項１または請求項２に記載の記録ディスクカートリッジ。
【請求項４】
前記記録ディスクカートリッジに収容されたすべての記録ディスクメディアは、
前記シート材の送り方向を基準として、予め定められた所定の方向に揃えて配置されたことを特徴とする請求項１から請求項３のいずれか１項に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
近年、記録ディスクカートリッジとしては、記憶容量を増大させるために、一つのケース内に複数の磁気ディスクメディアをその回転軸方向に並ぶように設けたものが知られている（特許文献１，２参照）。このような記録ディスクカートリッジによれば、前記した記憶容量の増大化を図ることができる他、複数の磁気ディスクメディアに対して記録再生装置側の複数のヘッドを別個に動かして同時にアクセスさせることでデータの転送速度の向上を図ることができ、さらには、複数の磁気ディスクメディアのうち一つをパリティ用として利用することで記録ディスクカートリッジの信頼性の向上をも図ることができる。
【特許文献１】特開２００４−２２０１１号公報
【特許文献２】特開平１１−１１０９４４号公報
【発明の開示】
【発明が解決しようとする課題】
【０００３】
ところで、フレキシブルな記録ディスクメディアは、一般に、シート状の支持体の表面に磁性塗料を塗布して形成されるため、かかる支持体の固有の特性、またはローラによる搬送、および表面処理、熱処理等の各製造過程における種々の複雑な作用に起因する異方性が生じる場合がある。具体的には、この異方性は、熱、および温湿度等の変化による収縮膨張率等の差異に起因するものであるが、記録ディスクメディアに要求される記録密度等、他の特性との兼ね合い上、完全に排除することは困難であり、記録ディスクメディアには一定量の異方性が残存し、潜在しているのが実情である。そして、この異方性の存在により、データ記録後の記録ディスクメディアが温度や湿度変化により変形して、データトラックが真円でなくなる場合があり得る。
しかし、複数の磁気ディスクメディアを一体回転可能に収容した記録ディスクカートリッジにおいて、磁気ディスクメディアを高速で回転させ、複数のヘッドが同時にアクセスする場合に、各磁気ディスクメディアのトラックの変形が不規則に形成されていると、各トラックのサーボフォローイング（追随性）に時間を要し、転送速度の低下を招くことになる。
そこで、本発明は、磁気ディスクメディアの熱収縮率等の異方性の影響を最小限に抑えて、トラッキング性能が高く、転送速度が速いディスクカートリッジを提供することを課題とする。
【課題を解決するための手段】
【０００４】
前記の課題を解決するため、請求項１に係る発明は、複数のフレキシブルな記録ディスクメディアを回転体に連結し、一体回転可能に収容した記録ディスクカートリッジであって、前記各記録ディスクメディアは、少なくともその記録ディスクメディアにデータの記録および／または再生を行なうディスクドライブが有するヘッド群に対応する群ごとに、前記記録ディスクメディアの支持体を構成するシート材の送り方向を基準として、予め定められた所定の方向に揃えて配置されたことを特徴とする。
本発明によれば、磁気ディスクメディアの製造工程におけるローラによる搬送の際の内部応力、磁性塗料の塗布方向、表面処理の方向等がシート材の送り方向と一定の関係を有する場合には、対応するヘッド群ごとに、各記録ディスクメディアについて、前記記録ディスクメディアの支持体を構成するシート材の送り方向を基準として、予め定められた所定の方向に揃えて配置することにより、前記異方性の方向を一定の範囲内に揃えることができる。ここで、「ヘッド群」とは、一つの回転軸に一体に回動可能に設けられ、一体として作動する複数のヘッドの集合をいう。
【０００５】
また、記録ディスクカートリッジが複数のヘッド群を有するディスクドライブに使用される場合には、すべての記録ディスクメディアについてシート材の送り方向を揃えるのではなく、少なくともその記録ディスクメディアに対しデータの記録および／または再生を行なうディスクドライブが有する一群として作動するヘッド群に対応する群ごとに、前記送り方向を揃えて配置することにより、より効率的に各記録ディスクメディアごとの異方性の方向のばらつきを管理することができる。
なお、「方向」とは、広義には、向きを示す場合にも用いられるが、本明細書においては、向きは問わず前後方向も含まれるものとして用いている。したがって、方向のみならず前後の向きをも特定する場合には、「向き」の用語を用いる。
【０００６】
請求項２に係る発明は、請求項１に係る記録ディスクカートリッジであって、各記録ディスクメディアは、一定の方向性を有する取付孔を備え、前記回転体は、前記取付孔と整合して係合される凸部を有するセンタコアを備え、前記取付孔と前記センタコアの前記凸部とを係合させることにより、各記録ディスクメディアが前記所定の方向に揃えて配置されたことを特徴とする。
本発明によれば、一定の方向性を有する取付孔を設け、他方回転体を構成するセンタコアには、前記取付孔に整合して係合する凸部を設けているので、この両者を係合させることにより、前記異方性を一定の方向に揃えて各記録ディスクメディアを配置することができる。
【０００７】
請求項３に係る発明は、請求項１または請求項２に係る記録ディスクカートリッジであって、前記各記録ディスクメディアは、前記所定の方向を示す目印を備え、その目印を基準として前記各ディスクメディアが前記所定の方向に揃えて配置されたことを特徴とする。
本発明によれば、前記所定の方向を示す目印を備えたことにより、判断し難い異方性の方向を目視にて視覚的に把握することができるため、容易に各記録ディスクメディアを同一の異方性の方向に配置することができる。
【０００８】
請求項４に係る発明は、請求項１から請求項３のうちいずれか１項に記載の記録ディスクカートリッジであって、前記記録ディスクカートリッジに収容されたすべての記録ディスクメディアは、前記シート材の送り方向を基準として、予め定められた所定の方向に揃えて配置されたことを特徴とする。
【０００９】
本発明によれば、記録ディスクカートリッジに収容されたすべての記録ディスクメディアについて、その熱収縮率等に起因する異方性の方向を揃えることにより、ヘッド群が一つである場合や一群として作動するヘッドの組み合わせが変動する場合であっても、記録ディスクメディア全体として前記異方性の方向を揃えることにより、自由にヘッド群を構成しても記録磁気ディスクメディアの異方性の影響を最小限に抑えることができる。
【発明の効果】
【００１０】
本発明によれば、シート材の送り方向を基準として、予め定められた所定の方向に揃えて各記録ディスクメディアを配置することにより、各記録ディスクメディアの熱収縮率等の差異に基づく異方性の影響を最小限に抑えることができるので、トラッキング性能が高く、転送速度が速いディスクカートリッジを提供することが可能となる。
【発明を実施するための最良の形態】
【００１１】
本発明の実施形態について、適宜図面を参照しながら詳細に説明する。
図１は、本実施形態に係る記録ディスクカートリッジの基本構成を示す分解斜視図である。図１に示すように、記録ディスクカートリッジ１０は、三枚の磁気ディスクメディアと、これらの磁気ディスクメディアを一体に連結する回転体２と、磁気ディスクメディア１および回転体２を収容するケース３およびシャッタ４とで主に構成されている。
なお、本実施形態においては、各磁気ディスクメディアに対応して、それぞれ図示しない複数の薄膜磁気ヘッドが開口部５１ｄから挿入されて、各磁気ディスクメディアを上下から適切な近接接触状態（ヘッド当たり）を保ちながら挟むようして直線的に移動しながらトラック上を走査することにより、記録および再生が行われる。
【００１２】
ここで、「記録ディスクメディア」は、本実施形態においては、一例として、磁気ディスクメディアを採用したが、フレキシブルなディスクメディアであれば、光ディスクメディア等であってもよく、信号の記録および再生方式によって限定されるものではない。
また、本発明は、カートリッジケースの形状や磁気ディスクメディアの収容ないし分割方法、およびシャッタの構造等によって限定されるものでもない。さらに、例えば、丸型のカートリッジケースを採用し、ロータリー式のシャッタを複数備え、複数のヘッド群を備えて、そのヘッド群ごとに磁気ディスクメディアにアクセスするように構成することも可能である。要するに、本発明は、フレキシブルな磁気ディスクメディアが複数枚重ねられた構造を備えた記録ディスクカートリッジであれば適用できるものである。
【００１３】
磁気ディスクメディア１は、ポリエチレンテレフタレート（ＰＥＴ）等からなるシート状の支持体の両面に磁性体層が形成された、いわゆるフレキシブルディスクであり、その中央部と外周縁部がそれぞれ非記録領域１ａ，１ｂとされ、これらの領域を除く円環上に記録領域１ｃが設定されている。また、磁気ディスクメディア１の中央部には、磁気ディスクメディア１を回転体２に取り付けるための所定形状の取付孔１１（図３参照）が形成されている。
【００１４】
ここで、磁気ディスクメディアの異方性とシート材の送り方向との関係について言及する。一般に、フレキシブルな磁気ディスクメディアは、一般に、支持体の材質により、種々の製造方法があるが、ローラに巻回されたフィルムから搬送ローラで巻き出されながら各工程間を移動し、表面処理、加熱処理、および成膜処理等が行われ、最終的にディスク状にトリミングされる。このように一定方向に搬送されながら各工程間を移動する。
したがって、磁気ディスクメディアには、支持体特有のまたは各製造過程における複雑な作用に起因する異方性が生じる場合がある。この異方性は、熱、および温湿度等の変化による収縮膨張率等の差異を生じ、この差異は、シート材の流れ方向（長尺方向）に対して、一定の関係を有する。
そこで、本実施形態では、一例として、磁気ディスクメディアの支持体を構成するシート材の送り方向を揃えて磁気ディスクメディアをディスクカートリッジに収容している。
【００１５】
図２は、記録ディスクカートリッジに磁気ディスクメディアを収容した状態を示す断面図であり、図３は回転体の構成を示す図２の部分拡大図である。また、図４は、磁気ディスクメディアの取付孔の形状とセンタコアの上面に設けられた凸部の形状との関係を示す斜視図である。
まず、回転体の構成について説明する。図３に示すように、回転体２は、三枚の磁気ディスクメディア１を所定の間隔で一体に連結させるものであり、主として、三枚のセンタコア２１と、リテーナプレート２２と、ベアリングボール２３と、センタプレート２４とを備えて構成されている。
【００１６】
センタコア２１は、円盤状に形成され、その上面には凸部２１１を、下面には凹部２１２を備えている。このセンタコア２１は、磁気ディスクメディア１を所定の間隔を設けて一体に固定して回転軸を形成できるように、それぞれ上面の凸部２１１および下面の凹部２１２を係合させて、段積みに配置されている。
また、センタコア２１の上面の凸部２１１の形状は、磁気ディスクメディア１の取付孔１１に係合するように形成され、下面の凹部２１２の形状は、前記上面の凸部２１１に係合されるように構成されている。一例として、凸部２１１は二つの小径円柱状に形成され（図４参照）、その形状に対応する凹部２１２形状としている。
【００１７】
一方、図４に示すように、磁気ディスクメディア１には、二つの小径の取付孔１１が、シート材の送り方向と一致する方向（Ｎ−Ｎ）に沿って形成され、この二つの小径孔の中心が回転中心に一致するように配置されている。
したがって、センタコア２１の上面の凸部２１１と磁気ディスクメディア１に形成された二つの小径の取付孔１１とを係合させて、順次センタコア２１を段積みすることにより、複数の磁気ディスクメディア１をシート材の送り方向に揃えて、一体回転可能に配置することができる（図２、図３参照）。
さらに、この「所定の方向（シート材の送り方向）、または、向き（流れ方向）」を示す「目印Ｍ」として、磁気ディスクメディアの非記録領域に三角形のマークを表示している。熱収縮等の生ずる異方性の方向は、目視では判定し難いからである。
【００１８】
また、この実施形態では、一例として、磁気ディスクメディア１の取付孔１１を二つの径の等しい小径孔としている。このような１８０度回転させても両者を係合させることができる形状（点対称の形状）は、所定の方向のみ揃えれば組みつけられるので、異方性が所定の方向のみに起因し、その向きに影響されない場合に適している。
図５（ａ）から（ｃ）は、同様の例として、その他のセンタコアの凸部の形状を例示したものであり、（ａ）は長方形、（ｂ）はひし形、（ｃ）は楕円形状を表している。そして、この場合には、前記「所定の方向」は、一例として、予め、各形状の長軸の方向と定めておくことができ、この形状自体が請求項３にいう「目印」の役割をも果たす。
【００１９】
一方、所定の方向に対し、その向きまで揃える必要がある場合には、前記のような点対称の形状を採用することができない。図６（ａ）から（ｃ）は、そのような場合のセンタコア２１の凸部の形状を例示したものであり、（ａ）は三角柱の形状、（ｂ）は回転中心を構成する大径の円柱に小径の円柱が付加された形状、（ｃ）はいわゆるノッチ形状を表わしている。
なお、（ｂ）および（ｃ）の場合には、磁気ディスクメディアのセンタ孔は標準形状の丸孔としながら、小径孔やノッチを追加工できるため、多品種の磁気ディスクメディアに機動的に対応できる長所がある。
そして、この場合には、一例として、三角形の頂点の向き、センタの円柱に対する小径の円柱の配置された位置が示す向き、ノッチの形成された位置の向きが「所定の向き」となるように定めておくことができ、併せて、かかる形状自体が「目印」の機能をも奏する。
【００２０】
図３に示すように、底部センタコア２１ａは、磁気的に吸着可能な磁性部材で構成され、その下面には、図示しないディスクドライブのドライブスピンドルに係合させるため、一例として、略四角形状の中心穴２１ｂを備えている（図７参照）。この中心穴２１ｇに、前記ドライブスピンドルを嵌入し、回転体２を磁気的に吸着することによって、前記ドライブスピンドルとともに回転し、磁気ディスクメディア１の回転振れを防止するように構成されている。
【００２１】
リテーナプレート２２は、円盤状に形成され、センタコア２１の上部に嵌設されている。リテーナプレート２２の下面には、その下のセンタコア２１の上面の凸部２１１と係合する凹部２１２が形成されており、リテーナプレート２２上面の中央部にはベアリングボール２３を回転自在に保持するボール保持穴が設けられている。したがって、リテーナプレート２２は、センタコア２１と一体となって回転体２を形成している。
【００２２】
ベアリングボール２３は、一例として、ボールベアリングに使用される鋼製の球体からなるが、滑り性、耐摩耗性に優れた樹脂、例えば、ポリテトラフルオロエチレン、ポリオキシメチレン樹脂等により構成してもよい。ベアリングボール２３は、リテーナプレート２２のボール保持穴内に配置されて、ボール保持穴の底面およびセンタプレート２４と点接触により当接して、センタコア２１に固着された磁気ディスクメディア１を回転支持する。
【００２３】
センタプレート２４は、矩形のシート状に形成され、二つのハーフ５，６の境界部分のセンタコア２１の上方に貼り付けられた滑り部材である。センタプレート２４は、例えば、ポリオキシメチレン樹脂、超高分子量ポリエチレンなどの滑り性と耐摩耗性に優れた材料から構成することができる。
【００２４】
次に、磁気ディスクメディアを収容するケースの構成について説明する。図１に示すように、ケース３は、回転体２によって一体に固定された三枚の磁気ディスクメディア１を収容するためのものであり、一例として、収容される磁気ディスクメディア１の中心を基準にして二つのハーフ５，６に分割され、接着等により結合する構成としている。
なお、以下の説明においては、ケース３のうちシャッタ４が取り付けられる側を前側と呼び、その反対側を後側と呼ぶこととし、さらに、前記した二つのハーフ５，６を、前側ハーフ５および後側ハーフ６と呼ぶことがある。
【００２５】
説明の便宜上、後側ハーフ６から説明する。後側ハーフ６は、図８に示すように、上下に四分割した部品から構成されており、その下側の一段目から三段目を構成する同一形状の後側収容部６１と、三段目の後側収容部６１の上端に接合される平板状の後側上壁部６２とで主に構成され、三つの部屋が形成されている（図１参照）。後側収容部６１は、矩形の平板の三辺に側壁を立設したトレイ状の形状となっており、その底部６１ａの前端の中央部には、回転体２（図２，３参照）の外径よりも大径となる半円状の逃がし部６１ｂが形成されている。
【００２６】
図１に示すように、前側ハーフ５には、その前部にシャッタ４を取り付けるための凹部５１が、上面５ａ、前面５ｂ、下面５ｃに渡って形成されている。この凹部５１には、その上面５１ａ、前面５１ｂ、下面５１ｃに渡って開口部５１ｄが形成されており、この開口部５１ｄを介して図示しない記録再生装置の複数の磁気ヘッドがケース３の内部の各磁気ディスクメディア１にアクセスすることが可能となっている。
また、凹部５１の上面５１ａには、後記するシャッタ４の抜け止め用の係止爪４１を係止させるための係止用孔５１ｅが開口部５１ｄを挟んだ両側に形成されている。
さらに、凹部５１の前面５１ｂには、後記するシャッタ４のスライド用のガイド爪４２を摺動自在に係合させるための溝状のスリット５１ｆと、シャッタ４を常時閉方向（図示手前側）に付勢するためのシャッタ閉塞用ばね７の一端部７１を収容し、かつ、図示しない係止部で係止するための係止穴５１ｇとが形成されている。
【００２７】
また、前側ハーフ５は、図９に示すように、複数に分割されて構成されている。詳しくは、下側の一段目を構成する第一収容部５２と、二段目を構成する第二収容部５３と、三段目を構成する第三収容部５４と、この第三収容部５４の上端に接合される前側上壁部５５とで主に構成されている。
【００２８】
第一収容部５２は、前記した後側収容部６１（図８参照）に対してほぼ前後対称となる形状に形成されており、その前壁５２ｃには、前記した凹部５１、開口部５１ｄ、スリット５１ｆ、係止穴５１ｇの下側半分を構成する形状部５２ｄが適宜形成されている。これに対し、略平板状となる前側上壁部５５の前端には、前記した凹部５１、開口部５１ｄ、スリット５１ｆ、係止穴５１ｇの上側半分を構成する形状部５５ｄ（係止用孔５１ｅの形状部分も含む）が適宜形成されている。
【００２９】
第二収容部５３は、前記した後側収容部６１（図８参照）に対してほぼ前後対称となる形状に形成されており、その底部５３ａに形成された半円状の逃がし部５３ｂから前方に向かって所定の幅の分割溝５３ｃが形成されることによって、実質、二部品に分かれて構成されている。また、第二収容部５３の前部は、第一収容部５２（または、前側上壁部５５）の前部の形状に対応する逃がしが設けられている。なお、第三収容部５４は、第二収容部５３と同じ構造であるため、その説明を省略する。
このように、第二収容部５３および第三収容部５４に分割溝５３ｃ，５４ｃが形成されることによって、前側ハーフ５の開口部５１ｄから挿入される図示しない複数の磁気ヘッドが磁気ディスクメディア１の記録領域１ｃ（図１参照）の内周縁まで良好に移動することが可能となっている。
【００３０】
なお、ケース内を分割して各収容部を設けたのは、重ね合わされた各磁気ディスクメディアが回転時に干渉しないようにするためであり、さらに、各収容部の壁に不織布等のライナ８１を張ることにより磁気ディスクメディアの損傷を防止することも可能としている。
【００３１】
図１を参照して、ケースの前面開口部を開放、閉塞するシャッタの構成について説明する。シャッタ４は、上壁４ａ、前壁４ｂ、下壁４ｃによって断面視略Ｕ字状に形成されており、これにより前側ハーフ５の凹部５１に嵌まり込んで左右にスライドする構造となっている。そして、シャッタ４の上壁４ａには、シャッタ４の抜け止めに寄与する二つの係止爪４１が切り曲げられて形成されており、これらの係止爪４１は、前側ハーフ５に形成された二つの係止用孔５１ｅによって前後方向のみにおいて係止され、かつ、左右方向においては摺動が許容されるようになっている。
【００３２】
シャッタ４の前壁４ｂには、シャッタ４のスライドに寄与するガイド爪４２が後方に向けて切り曲げられて形成されるとともに、その上端から下端にわたる範囲で開口部４３が形成されている。そして、前記したガイド爪４２が前側ハーフ５に形成されたスリット５１ｆに摺動自在に係合するとともに、シャッタ閉塞用ばね７の他端部７２と係合することによって、このシャッタ閉塞用ばね７でシャッタ４が常時閉方向（図示手前側）に付勢されるようになっている。
【００３３】
すなわち、シャッタ４は、シャッタ閉塞用ばね７によって閉方向側に押し付けられている状態においては、その前壁４ｂで前側ハーフ５の開口部５１ｄを塞ぎ、また、シャッタ閉塞用ばね７の付勢力に抗して開方向側の所定位置まで移動させた状態においては、その開口部４３が前側ハーフ５の開口部５１ｄと一致するように構成されている。
なお、シャッタ閉塞用ばね７は、その基部７３が前側ハーフ５のスリット５１ｆから挿入されて前側ハーフ５内に収容され（図７参照）、かつ、その一端部７１が係止穴５１ｇ内に収容されるようになっており、その他端部７２（折り曲げられた部分）のみがスリット５１ｆ近傍の前面５１ｂに引っ掛かった状態でシャッタ４と係合するようになっている。
【００３４】
次に、本実施形態に係る記録ディスクカートリッジ１０の作用について図２および図３を参照して説明する。
前記のように、磁気ディスクメディア１には、センタコア２１に取り付けるための取付孔１１が形成され、この取付孔１１は一定の方向性を有する形状を備えていることから、各磁気ディスクメディア１は所定の方向に揃えてセンタコア２１に固着されている。
【００３５】
このように構成することにより、シート材の送り方向に対し、一定の因果関係をもって異方性が発生することに着目すれば、例えば、シート材の送り方向と同一の方向性を有する形状の取付孔を磁気ディスクメディアに形成し、その方向に揃えて磁気ディスクメディアをセンタコアに装着することにより、磁気ディスクメディアの異方性を揃えることができる。
【００３６】
したがって、磁気ディスクメディアの異方性の方向を揃えて配置することにより、例えば、ディスクカートリッジ内の温湿度等の変化により磁気ディスクメディアが収縮膨張し、トラックの形状が変化した場合でも、各磁気ディスクメディアの収縮膨張の方向が一致しているため、各磁気ディスクメディア間のトラックのばらつきが最小限に抑えられ、トラッキング性能が高く、転送速度の速い記録ディスクメディアを提供することができる。
【００３７】
以上、本発明の実施形態について説明したが、本発明は、前記実施形態に限定されるものではなく、種々の形態で実施することができる。
例えば、回転体を構成するセンタコアは、本実施形態では、複数のセンタコアを段積みにして構成したが、一体として階段状に構成することもできる。例えば、前記階段状の段部を磁気ディスクメディアの取付孔の形状と係合する形状としたものや、前記段部に前記取付孔の形状に係合する凸部を設けたものであってもよい。要するに、磁気ディスクメディアを所定の方向に揃えて一体的に回転可能なものであればその形状等は限定されるものではない。
【図面の簡単な説明】
【００３８】
【図１】本実施形態に係る記録ディスクカートリッジを示す分解斜視図である。
【図２】本実施形態に係る記録ディスクカートリッジに磁気ディスクメディアを収容した状態を示す断面図である。
【図３】回転体の構成を示す図２の部分拡大図である。
【図４】磁気ディスクメディアの取付孔の形状とセンタコアの凸部の形状との関係を説明するための模式的斜視図である。
【図５】センタコアの他の形態を例示する斜視図である。
【図６】センタコアのさらに他の形態を例示する斜視図である。
【図７】図２の矢印Ａから見た下面図である。
【図８】図１の後側ハーフを示す分解斜視図である。
【図９】図１の前側ハーフを示す分解斜視図である。
【符号の説明】
【００３９】
１０    記録ディスクカートリッジ
１      磁気ディスクメディア
１１    取付孔
２      回転体
２１    センタコア
２１１  凸部
２１２  凹部
２１ａ  底部センタコア
２２    リテーナプレート
２３    ベアリングボール
２４    センタプレート
３      ケース
４      シャッタ
５      前側ハーフ
５２    第一収容部
５３    第二収容部
５４    第三収容部
５５    前側上壁部
６      後側ハーフ
６１    後側収容部
６２    後側上壁部
Ｍ      目印
【図１】
2006059442.tif 000003
【図２】
2006059442.tif 000004
【図３】
2006059442.tif 000005
【図４】
2006059442.tif 000006
【図５】
2006059442.tif 000007
【図６】
2006059442.tif 000008
【図７】
2006059442.tif 000009
【図８】
2006059442.tif 000010
【図９】
2006059442.tif 000011